(57)【要約】【課題】燃焼装置とサーバ装置を備える通信システムにおいて、燃焼装置における異常の発生をサーバ装置で判別することが可能な技術を提供する。【解決手段】本明細書が開示する通信システムは、燃焼装置と、燃焼装置と通信可能なサーバ装置を備えている。燃焼装置は、電源がオンの場合に、所定のタイミングで、燃焼装置の状態を示す状態信号をサーバ装置に送信するように構成されている。状態信号は、少なくとも、燃焼装置が点火している状態を示す点火信号と、燃焼装置が消火している状態を示す消火信号を含むグループから選択されている。サーバ装置は、点火信号を受信した後に、消火信号を受信することなく、燃焼装置との間で通信が確立していない状態が第１所定期間継続した場合に、燃焼装置が異常を生じている状態にあると判別する。【選択図】図１
2019029808.tif 000002
【特許請求の範囲】
【請求項１】
燃焼装置と、前記燃焼装置と通信可能なサーバ装置を備える通信システムであって、
前記燃焼装置は、電源がオンの場合に、所定のタイミングで、前記燃焼装置の状態を示す状態信号を前記サーバ装置に送信するように構成されており、
前記状態信号は、前記燃焼装置が点火している状態を示す点火信号と、前記燃焼装置が消火している状態を示す消火信号を少なくとも含むグループから選択されており、
前記サーバ装置は、前記点火信号を受信した場合に、前記燃焼装置が点火している状態にあると判別し、前記消火信号を受信した場合に、前記燃焼装置が消火している状態にあると判別し、
前記サーバ装置は、前記点火信号を受信した後に、前記消火信号を受信することなく、前記燃焼装置との間で通信が確立していない状態が第１所定期間継続した場合に、前記燃焼装置が異常を生じている状態にあると判別する、通信システム。
【請求項２】
前記所定のタイミングが、前記燃焼装置から前記サーバ装置への前記状態信号の前回の送信から、第２所定期間が経過した時点を含んでおり、
前記第２所定期間が、前記第１所定期間よりも短い、請求項１の通信システム。
【請求項３】
前記所定のタイミングが、前記燃焼装置の状態が変化した時点を含んでおり、
前記燃焼装置は、第３所定期間が経過するごとに、前記サーバ装置との間で通信が確立していることを確認するための確認信号を通信するように構成されており、
前記第３所定期間が、前記第１所定期間よりも短い、請求項１の通信システム。
【請求項４】
前記サーバ装置と通信可能な端末装置をさらに備えており、
前記サーバ装置は、判別された前記燃焼装置の状態を示す状態情報を、前記端末装置に送信可能である、請求項１から３の何れか一項の通信システム。
【請求項５】
前記サーバ装置は、前記燃焼装置が前記異常を生じている状態にあると判別された場合に、前記端末装置に、前記燃焼装置が異常を生じており、かつ点火している可能性があることを示す状態情報を送信する、請求項４の通信システム。
【請求項６】
前記状態情報は、前記燃焼装置の状態が変化した時刻を示す情報を含む、請求項４または５の通信システム。
【請求項７】
前記燃焼装置は、商用電源からの電力の供給を受けることなく、電池からの電力の供給を受けて動作する、請求項１から６の何れか一項の通信システム。
【発明の詳細な説明】
【技術分野】
【０００１】
本明細書で開示する技術は、通信システムに関する。
【背景技術】
【０００２】
特許文献１には、燃焼装置と、燃焼装置と通信可能なサーバ装置を備える通信システムが開示されている。この通信システムでは、燃焼装置は、電源がオンの場合に、所定のタイミングで、燃焼装置の状態を示す状態信号をサーバ装置に送信するように構成されている。
【先行技術文献】
【特許文献】
【０００３】
【特許文献１】特開２００５−３４１０８０号公報
【発明の概要】
【発明が解決しようとする課題】
【０００４】
特許文献１の技術では、燃焼装置に通信異常などの異常が発生した場合でも、サーバ装置で異常の発生を判別することができない。サーバ装置で異常の発生を判別することができれば、異常の発生をユーザに報知することで、ユーザによる異常への対処を促すことができる。燃焼装置とサーバ装置を備える通信システムにおいて、燃焼装置における異常の発生をサーバ装置で判別することが可能な技術が期待されている。
【０００５】
本明細書では、上記の課題を解決する技術を提供する。本明細書では、燃焼装置とサーバ装置を備える通信システムにおいて、燃焼装置における異常の発生をサーバ装置で判別することが可能な技術を提供する。
【課題を解決するための手段】
【０００６】
本明細書が開示する通信システムは、燃焼装置と、前記燃焼装置と通信可能なサーバ装置を備えている。前記燃焼装置は、電源がオンの場合に、所定のタイミングで、前記燃焼装置の状態を示す状態信号を前記サーバ装置に送信するように構成されている。前記状態信号は、少なくとも、前記燃焼装置が点火している状態を示す点火信号と、前記燃焼装置が消火している状態を示す消火信号を含むグループから選択されている。前記サーバ装置は、前記点火信号を受信した場合に、前記燃焼装置が点火している状態にあると判別し、前記消火信号を受信した場合に、前記燃焼装置が消火している状態にあると判別する。前記サーバ装置は、前記点火信号を受信した後に、前記消火信号を受信することなく、前記燃焼装置との間で通信が確立していない状態が第１所定期間継続した場合に、前記燃焼装置が異常を生じている状態にあると判別する。
【０００７】
上記の構成では、サーバ装置は、点火信号や消火信号を受信することで、燃焼装置が点火している状態にあることや、消火している状態にあることを判別する。さらに上記の構成では、サーバ装置が点火信号を受信した後、消火信号を受信するまでの間、すなわち燃焼装置が点火している状況において、燃焼装置に何らかの異常が発生して、サーバ装置と燃焼装置の間の通信が確立していない状態が継続すると、サーバ装置が、燃焼装置において異常が発生していることを判別する。上記の通信システムによれば、燃焼装置における異常の発生を、サーバ装置で判別することができる。
【０００８】
上記の通信システムは、前記所定のタイミングが、前記燃焼装置から前記サーバ装置への前記状態信号の前回の送信から、第２所定期間が経過した時点を含んでいてもよく、前記第２所定期間が、前記第１所定期間よりも短くてもよい。
【０００９】
上記の構成によれば、燃焼装置に特に異常が発生していなければ、燃焼装置からサーバ装置へ、定期的に状態信号が送信される。このため、上記の構成において、サーバ装置が点火信号を受信した後に、消火信号を受信することなく、燃焼装置との間で通信が確立していない状態が第１所定期間継続した場合、燃焼装置で何らかの異常が発生していることが分かる。上記の構成によれば、燃焼装置とサーバ装置の間で通信が確立しているか否かを、簡素な構成により定期的に確認することができる。
【００１０】
あるいは、上記の通信システムは、前記所定のタイミングが、前記燃焼装置の状態が変化した時点を含んでいてもよく、前記燃焼装置は、第３所定期間が経過するごとに、前記サーバ装置との間で通信が確立していることを確認するための確認信号を通信するように構成されていてもよく、前記第３所定期間が、前記第１所定期間よりも短くてもよい。
【００１１】
上記の構成によれば、燃焼装置に特に異常が発生していなければ、燃焼装置とサーバ装置の間で、定期的に確認信号が通信される。このため、上記の構成において、サーバ装置が点火信号を受信した後に、消火信号を受信することなく、燃焼装置との間で通信が確立していない状態が第１所定期間継続した場合、燃焼装置で何らかの異常が発生していることが分かる。上記の構成によれば、燃焼装置とサーバ装置の間で通信が確立しているか否かを、簡素な構成により定期的に確認することができる。
【００１２】
上記の通信システムは、前記サーバ装置と通信可能な端末装置をさらに備えていてもよく、前記サーバ装置は、判別された前記燃焼装置の状態を示す状態情報を、前記端末装置に送信可能であってもよい。
【００１３】
上記の構成によれば、サーバ装置で判別された燃焼装置の状態を、端末装置を介してユーザに報知することができる。
【００１４】
上記の通信システムにおいて、前記サーバ装置は、前記燃焼装置が前記異常を生じている状態にあると判別された場合に、前記端末装置に、前記燃焼装置が異常を生じており、かつ点火している可能性があることを示す状態情報を送信してもよい。
【００１５】
上記の構成において、サーバ装置が、燃焼装置において異常が発生していると判別するのは、サーバ装置が点火信号を受信した後に、消火信号を受信することなく、燃焼装置との間で通信が確立していない状態が第１所定期間継続した場合である。このため、サーバ装置が、燃焼装置において異常が発生していると判別した時点で、燃焼装置はいまだ点火している可能性がある。上記の構成によれば、燃焼装置が異常を生じており、かつ点火している可能性があることを、端末装置を介してユーザに報知することで、燃焼装置の異常に対するユーザによる速やかな対応を促すことができる。
【００１６】
上記の通信システムにおいて、前記状態情報は、前記燃焼装置の状態が変化した時刻を示す情報を含んでいてもよい。
【００１７】
上記の構成によれば、サーバ装置で判別された燃焼装置の状態を、その状態に変化した時刻と合わせて、端末装置を介してユーザに報知することができる。
【００１８】
上記の通信システムにおいて、前記燃焼装置は、商用電源からの電力の供給を受けることなく、電池からの電力の供給を受けて動作してもよい。
【００１９】
燃焼装置が、商用電源からの電力の供給を受けることなく、電池からの電力の供給を受けて動作する場合、電池の消耗を抑制するために、燃焼装置が消火している状態では、燃焼装置の電源がオフにされることがある。燃焼装置の電源がオフにされていると、燃焼装置とサーバ装置の間の通信は確立されない。従って、このような燃焼装置を備える通信システムにおいては、燃焼装置とサーバ装置の間の通信が確立していない状態が継続した場合でも、それが燃焼装置における異常の発生によるものか、燃焼装置の電源がオフにされていることによるものか、適確に判別する必要がある。上記の構成では、サーバ装置が点火信号を受信した後、消火信号を受信するまでの間、すなわち燃焼装置の電源がオンになっており、燃焼装置が点火している状況において、サーバ装置と燃焼装置の間の通信が確立していない状態が継続すると、サーバ装置が、燃焼装置において異常が発生していることを判別する。このような構成とすることによって、燃焼装置における異常の発生を、サーバ装置において適確に判別することができる。
【図面の簡単な説明】
【００２０】
【図１】実施例１，２に係る通信システム１の構成の例を示す図である。
【図２】実施例１，２に係る燃焼装置２の斜視図である。
【図３】実施例１において燃焼装置２が実行する処理のフローチャートである。
【図４】実施例１においてサーバ装置２００が実行する処理のフローチャートである。
【図５】実施例２において燃焼装置２が実行する処理のフローチャートである。
【図６】実施例２においてサーバ装置２００が実行する処理のフローチャートである。
【発明を実施するための形態】
【００２１】
（実施例１）
図１を参照して、通信システム１について説明する。通信システム１は、燃焼装置２と、中継装置１００と、サーバ装置２００と、携帯端末装置３００と、を備える。燃焼装置２と中継装置１００は、互いに通信可能である。中継装置１００、サーバ装置２００および携帯端末装置３００は、インターネット１５０を介して、互いに通信可能である。従って、燃焼装置２は、中継装置１００及びインターネット１５０を介してサーバ装置２００と通信可能である。また、携帯端末装置３００は、インターネット１５０を介してサーバ装置２００と通信可能である。
【００２２】
（燃焼装置２の構成）
図１及び図２を参照して、燃焼装置２について説明する。本実施形態では、燃焼装置２は、システムキッチンに組み込んで使用されるガス燃焼式のビルトインコンロである。図２に示すように、燃焼装置２は、前面４ａがシステムキッチンの手前側に露出する本体４と、本体４の上部に配置されており、システムキッチンのカウンタトップに露出する天板６と、を備えている。天板６には、加熱対象物である鍋やフライパン等の調理容器を支持する３つの五徳８ａ，８ｂ，８ｃと、それぞれの五徳８ａ，８ｂ，８ｃに対応して設けられており、それぞれの五徳８ａ，８ｂ，８ｃに支持された加熱対象物を加熱する３つのコンロバーナ１０ａ，１０ｂ，１０ｃと、それぞれのコンロバーナ１０ａ，１０ｂ，１０ｃに対応して設けられている温度センサ１２ａ，１２ｂ，１２ｃと、が設けられている。コンロバーナ１０ａには、ガス供給路（図示省略）が接続されている。ガス供給路には、開状態と閉状態のいずれかの状態に切り替わる電磁弁１６ａ（図１参照）と、コンロバーナ１０ａへのガスの供給量を調整する流量調整弁１８ａ（図１参照）とが設けられている。電磁弁１６ａと流量調整弁１８ａの動作は、制御部８０（図１参照）によって制御される。コンロバーナ１０ａは、電磁弁１６ａが開かれ、コンロバーナ１０ａにガスが供給されている状態で、イグナイタ（図示省略）を動作させることで点火する。コンロバーナ１０ａへ点火したか否かは、熱電対（図示省略）により検知可能である。コンロバーナ１０ａへ点火した状態では、流量調整弁１８ａによって、コンロバーナ１０ａへのガスの供給量を調整することで、コンロバーナ１０ａの加熱量を調整することができる。そして、電磁弁１６ａが閉じられ、コンロバーナ１０ａへのガスの供給が停止されることで、コンロバーナ１０ａは消火される。コンロバーナ１０ｂ、１０ｃは、コンロバーナ１０ａと同様の構造を有する。温度センサ１２ａ，１２ｂ，１２ｃは、五徳８ａ，８ｂ，８ｃに支持される加熱対象物の存在を検出するとともに、加熱対象物の底の温度を検出する。なお、図１では、説明を分かり易くするために、コンロバーナ１０ｂ、１０ｃ、温度センサ１２ｂ、１２ｃを省略している。
【００２３】
図２に示すように、本体４は、本体４の内部に設けられて食材を収容するグリル庫２０と、本体４の前面４ａに配置されてグリル庫２０を開閉するグリル扉２２と、本体４の前面４ａにおいてグリル扉２２の右側に設けられたコンロ操作部２４と、本体４の前面４ａにおいてグリル扉２２の左側に設けられたグリル操作部２６と、を備えている。なお、グリル庫２０の内部には、グリル庫２０内に収容した食材を加熱するグリルバーナ２０ａ（図１参照）が設けられている。
【００２４】
コンロ操作部２４は、３つの加熱量操作部４２ａ，４２ｂ，４２ｃと、パネル操作部４４と、を備える。加熱量操作部４２ａ，４２ｂ，４２ｃは、それぞれ、コンロバーナ１０ａ，１０ｂ，１０ｃに対応する。加熱量操作部４２ａは、コンロバーナ１０ａの点火及び消火を行うとともに、コンロバーナ１０ａの加熱量の調整を行うための操作部である。加熱量操作部４２ａは、オルタネイト型のスイッチである。ユーザによって加熱量操作部４２ａを消火位置から点火位置に移動させるための操作（以下では、「点火操作」と呼ぶ）が実行されると、コンロバーナ１０ａが点火され、ユーザによって加熱量操作部４２ａを点火位置から消火位置に移動させるための操作（以下では、「消火操作」と呼ぶ）が実行されると、コンロバーナ１０ａが消火される。点火位置とは、加熱量操作部４２ａの前面が本体４の前面４ａよりも前方に突出している位置であり、消火位置とは、加熱量操作部４２ａが本体４内に収容されている位置である。なお、ユーザによって点火操作が実行される（加熱量操作部４２ａが点火位置に位置する）と、電磁弁１６ａが開状態となり、ユーザによって消火操作が実行される（加熱量操作部４２ａが消火位置に位置する）と、電磁弁１６ａが閉状態となる。また、ユーザは、加熱量操作部４２ａが点火位置に位置している状態において、加熱量操作部４２ａを時計回り又は反時計回りに操作（以下では、「火力調整操作」と呼ぶ）することで、流量調整弁１８ａの開度を調整して、コンロバーナ１０ａの加熱量を調整することができる。加熱量操作部４２ｂ、４２ｃは、加熱量操作部４２ａと同じ構造を有する。
【００２５】
パネル操作部４４は、コンロ表示部４６と、コンロ設定操作部４８ａ，４８ｂ，４８ｃと、を備える。コンロ表示部４６には、各コンロバーナ１０ａ，１０ｂ，１０ｃの動作状態などが表示される。ユーザは、コンロ設定操作部４８ａを操作することで、コンロバーナ１０ａによって加熱される加熱対象物の温度の設定や自動調理の設定などをすることができる。コンロ設定操作部４８ｂ、４８ｃは、それぞれ、コンロバーナ１０ｂ、１０ｃに対応する操作部である点を除いて、コンロ設定操作部４８ａと同様の機能を有する。
【００２６】
グリル操作部２６は、加熱量操作部６０と、パネル操作部６２と、サーバ連携ランプ９０と、を備える。ユーザは、加熱量操作部６０を操作することによって、グリルバーナ２０ａの点火及び消火を行うとともに、グリルバーナ２０ａの加熱量の調整を行うことができる。加熱量操作部６０の構造は、コンロ操作部２４の加熱量操作部４２ａと同様である。
【００２７】
パネル操作部６２は、グリル表示部６４と、グリル設定操作部６６と、を備える。グリル表示部６４には、グリルバーナ２０ａの動作状態などが表示される。グリル設定操作部６６の機能はグリルバーナ２０ａに対応する操作部である点を除いて、コンロ設定操作部４８ａと同様の機能を有する。
【００２８】
サーバ連携ランプ９０は、燃焼装置２とサーバ装置２００の間で通信が確立している場合に点灯し、それ以外の場合に消灯する。サーバ連携ランプ９０の動作は、制御部８０により制御される。
【００２９】
また、図１に示すように、燃焼装置２は、Ｂｌｕｅｔｏｏｔｈ（登録商標）Ｉ／Ｆ（インタフェースの略）７０と、制御部８０と、を備える。ＢｌｕｅｔｏｏｔｈＩ／Ｆ７０は、外部機器とのＢｌｕｅｔｏｏｔｈ通信を実行するための近距離無線Ｉ／Ｆである。燃焼装置２は、ＢｌｕｅｔｏｏｔｈＩ／Ｆ７０を介して、中継装置１００とＢｌｕｅｔｏｏｔｈ通信を実行可能である。
【００３０】
制御部８０は、メモリ８２を備える。制御部８０は、メモリ８２に格納されているプログラム８４に従って、燃焼装置２の動作を制御する。例えば、制御部８０は、ユーザによって加熱量操作部４２ａが操作されることに応じて、電磁弁１６ａの開閉や、流量調整弁１８ａの開度調整を行う。
【００３１】
図１に示すように、燃焼装置２は、商用電源からの電力の供給を受けることなく、電池４０からの電力の供給を受けて動作する。電池４０は、例えば乾電池である。燃焼装置２の各構成要素は、電池４０から供給される電力によって動作する。燃焼装置２においては、加熱量操作部４２ａ，４２ｂ，４２ｃおよび加熱量操作部６０が全て消火位置にある場合（すなわち、コンロバーナ１０ａ，１０ｂ，１０ｃおよびグリルバーナ２０ａが全て消火している場合）は、電池４０からの電力の供給が遮断されており、燃焼装置２は電源がオフの状態となっている。この状態から、加熱量操作部４２ａ，４２ｂ，４２ｃおよび加熱量操作部６０のうち何れか一つに点火操作が行われると、電池４０からの電力の供給が開始されて、燃焼装置２は電源がオンの状態となる。その後、コンロバーナ１０ａ，１０ｂ，１０ｃおよびグリルバーナ２０ａが全て消火されると、再び電池４０からの電力の供給が遮断されて、燃焼装置２は電源がオフの状態となる。
【００３２】
（中継装置１００の構成）
続いて、中継装置１００について説明する。本実施例では、中継装置１００は、給湯器（図示せず）の操作を行うために台所に設置された台所リモコンである。中継装置１００は、燃焼装置２の近傍の壁面に取り付けられている。中継装置１００は、ＢｌｕｅｔｏｏｔｈＩ／Ｆ１０２と、Ｗｉ−Ｆｉ（登録商標）Ｉ／Ｆ１０４と、制御部１０６を備えている。ＢｌｕｅｔｏｏｔｈＩ／Ｆ１０２は、外部機器とのＢｌｕｅｔｏｏｔｈ通信を実行するための近距離無線Ｉ／Ｆである。中継装置１００は、ＢｌｕｅｔｏｏｔｈＩ／Ｆ１０２を介して、燃焼装置２とＢｌｕｅｔｏｏｔｈ通信を実行可能である。Ｗｉ−ＦｉＩ／Ｆ１０４は、外部機器とのＷｉ−Ｆｉ通信を実行するための無線Ｉ／Ｆである。中継装置１００は、Ｗｉ−ＦｉＩ／Ｆ１０４を介して、インターネット１５０に接続可能である。制御部１０６は、ＢｌｕｅｔｏｏｔｈＩ／Ｆ１０２およびＷｉ−ＦｉＩ／Ｆ１０４の動作を制御する。
【００３３】
（サーバ装置２００の構成）
サーバ装置２００は、燃焼装置２の製造元によって提供されるサーバであり、当該製造元が販売した機器の情報を収集するためのサーバである。サーバ装置２００は、インターネット１５０に接続されている。サーバ装置２００は、制御部２１０を備える。制御部２１０は、サーバ装置２００の動作を制御する。制御部２１０は、メモリ２１２を備える。メモリ２１２には、燃焼装置２の識別番号とともに、燃焼装置２の状態を示すデータが格納されている。
【００３４】
（携帯端末装置３００の構成）
携帯端末装置３００は、携帯電話、スマートフォン等の、ユーザにより携帯される端末装置である。携帯端末装置３００は、表示部３０２と、操作部３０４と、Ｗｉ−ＦｉＩ／Ｆ３０６と、制御部３１０と、を備える。表示部３０２は、様々な情報を表示するためのディスプレイである。表示部３０２は、いわゆるタッチパネル（即ち操作部３０４）として機能してもよい。操作部３０４は、複数のキーを備える。ユーザは、操作部３０４を操作することによって、様々な指示を携帯端末装置３００に入力することができる。Ｗｉ−ＦｉＩ／Ｆ３０６は、外部機器とのＷｉ−Ｆｉ通信を実行するための無線Ｉ／Ｆである。携帯端末装置３００は、Ｗｉ−ＦｉＩ／Ｆ３０６を介して、インターネット１５０に接続可能である。制御部３１０は、携帯端末装置３００の動作を制御する。また、制御部３１０は、メモリ３１２を備える。メモリ３１２には、コンロアプリ３１４が格納されている。コンロアプリ３１４は、例えば、インターネット１５０上のサーバ（図示省略）から携帯端末装置３００にインストールされる。コンロアプリ３１４は、燃焼装置２に関する各種情報の受信や、燃焼装置２に対する各種指示の送信を実行するためのアプリケーションである。
【００３５】
（燃焼装置２が実行する処理）
図３を参照して、燃焼装置２の制御部８０が行う、サーバ装置２００との連携処理について説明する。本実施例の燃焼装置２は、コンロバーナ１０ａ，１０ｂ，１０ｃおよびグリルバーナ２０ａが全て消火している場合、電源がオフの状態となっている。この状態から、ユーザによって、加熱量操作部４２ａ，４２ｂ，４２ｃおよび加熱量操作部６０のうち何れか一つに点火操作が行われると、図３のステップＳ２に示すように、燃焼装置２は電源がオンの状態となる。燃焼装置２の電源がオンとなると、制御部８０は、コンロバーナ１０ａの点火および加熱量調整のための処理（図示せず）を行うとともに、ステップＳ４以降の処理を実行する。
【００３６】
ステップＳ４では、制御部８０は、コンロバーナ１０ａが点火したか否かを判断する。コンロバーナ１０ａが点火しない場合（ＮＯの場合）、コンロバーナ１０ａの点火に失敗したと判断して、処理はステップＳ２２へ進む。ステップＳ２２では、制御部８０は、燃焼装置２の電源をオフに切り換えて、図３の処理を終了する。
【００３７】
ステップＳ４において、コンロバーナ１０ａが点火した場合（ＹＥＳの場合）、処理はステップＳ６へ進む。ステップＳ６では、制御部８０は、コンロバーナ１０ａが点火している状態を示す信号（以下では点火信号ともいう）を、中継装置１００およびインターネット１５０を介して、サーバ装置２００へ送信する。
【００３８】
ステップＳ８では、制御部８０は、サーバ装置２００との間の通信が正常に終了したか否かを判断する。サーバ装置２００との通信が正常に終了した場合（ＹＥＳの場合）、処理はステップＳ１０へ進む。ステップＳ１０では、制御部８０は、サーバ連携ランプ９０を点灯する。ステップＳ１０の後、処理はステップＳ１４へ進む。ステップＳ８で、サーバ装置２００との通信が正常に終了していない場合（ＮＯの場合）、処理はステップＳ１２へ進む。ステップＳ１２では、制御部８０は、サーバ連携ランプ９０を消灯する。ステップＳ１２の後、処理はステップＳ１４へ進む。
【００３９】
ステップＳ１４では、制御部８０は、コンロバーナ１０ａが消火されたか否かを判断する。コンロバーナ１０ａが消火されていない場合（ＮＯの場合）、処理はステップＳ１６へ進む。
【００４０】
ステップＳ１６では、制御部８０は、サーバ装置２００への点火信号の前回の送信からの経過時間が所定期間（例えば５分）に達したか否かを判断する。前回の送信からの経過時間が所定期間に達していない場合（ＮＯの場合）、処理はステップＳ１４へ戻る。前回の送信からの経過時間が所定期間に達すると（ＹＥＳとなると）、処理はステップＳ６へ戻り、制御部８０は、コンロバーナ１０ａについての点火信号を、中継装置１００およびインターネット１５０を介して、サーバ装置２００へ再び送信する。
【００４１】
ステップＳ１４で、コンロバーナ１０ａが消火されると（ＹＥＳとなると）、処理はステップＳ１８へ進む。ステップＳ１８では、制御部８０は、コンロバーナ１０ａが消火している状態を示す信号（以下では消火信号ともいう）を、中継装置１００およびインターネット１５０を介して、サーバ装置２００へ送信する。
【００４２】
ステップＳ２０では、制御部８０は、サーバ連携ランプ９０を消灯する。
【００４３】
ステップＳ２２では、制御部８０は、燃焼装置２の電源をオフに切り換えて、図３の処理を終了する。
【００４４】
（サーバ装置２００が実行する処理）
続いて、図４を参照して、サーバ装置２００の制御部２１０が行う燃焼装置２との連携処理について説明する。
【００４５】
ステップＳ３２では、制御部２１０は、燃焼装置２から点火信号を受信するまで待機する。燃焼装置２から点火信号を受信すると（ＹＥＳとなると）、処理はステップＳ３４へ進む。
【００４６】
ステップＳ３４では、制御部２１０は、燃焼装置２から受信した点火信号に基づいて、メモリ２１２に格納されている燃焼装置２の状態を更新する。具体的には、燃焼装置２から受信したコンロバーナ１０ａについての点火信号に基づいて、制御部２１０は、燃焼装置２が、コンロバーナ１０ａが点火している状態であることを、メモリ２１２に記憶する。
【００４７】
ステップＳ３６では、制御部２１０は、携帯端末装置３００に、燃焼装置２の状態を示す情報（状態情報ともいう）として、メモリ２１２に記憶されている燃焼装置２の状態を示す情報を送信する。具体的には、燃焼装置２が、コンロバーナ１０ａが点火している状態であることが、サーバ装置２００から携帯端末装置３００に送信される。
【００４８】
ステップＳ３８では、制御部２１０は、燃焼装置２から消火信号を受信したか否かを判断する。消火信号を受信していない場合（ＮＯの場合）、処理はステップＳ４０へ進む。
【００４９】
ステップＳ４０では、制御部２１０は、燃焼装置２から点火信号を受信したか否かを判断する。点火信号を受信した場合（ＹＥＳの場合）、燃焼装置２との通信が確立していると判断されるので、処理はステップＳ３８へ戻る。点火情報を受信しない場合（ステップＳ４０でＮＯの場合）、処理はステップＳ４２へ進む。
【００５０】
ステップＳ４２では、制御部２１０は、燃焼装置２からの点火信号の前回の受信からの経過時間が、所定期間（例えば７分）に達したか否かを判断する。前回の受信からの経過時間が所定期間に達していない場合（ＮＯの場合）、処理はステップＳ３８へ戻る。
【００５１】
ステップＳ３８で、消火信号が受信されると（ＹＥＳとなると）、処理はステップＳ４４へ進む。ステップＳ４４では、制御部２１０は、燃焼装置２から受信した消火信号に基づいて、メモリ２１２に格納されている燃焼装置２の状態を更新する。具体的には、燃焼装置２から受信したコンロバーナ１０ａについての消火信号に基づいて、制御部２１０は、燃焼装置２が、コンロバーナ１０ａが消火している状態であることを、メモリ２１２に記憶する。
【００５２】
ステップＳ４６では、制御部２１０は、携帯端末装置３００に、燃焼装置２の状態情報として、メモリ２１２に記憶されている燃焼装置２の状態を送信する。具体的には、燃焼装置２が、コンロバーナ１０ａが消火している状態であることが、サーバ装置２００から携帯端末装置３００に送信される。ステップＳ４６の後、図４の処理は終了する。
【００５３】
ステップＳ４２において、燃焼装置２からの点火信号の前回の受信からの経過時間が所定期間に達すると（ＹＥＳとなると）、燃焼装置２に何らかの異常が発生していると判断されるので、処理はステップＳ４８へ進む。
【００５４】
ステップＳ４８では、制御部２１０は、メモリ２１２に格納されている燃焼装置２の状態を更新する。具体的には、燃焼装置２が、コンロバーナ１０ａが点火している可能性があり、かつ異常が発生している状態にあることを、メモリ２１２に記憶する。
【００５５】
ステップＳ５０では、制御部２１０は、携帯端末装置３００に、燃焼装置２の状態情報として、メモリ２１２に記憶されている燃焼装置２の状態を送信する。具体的には、燃焼装置２が、コンロバーナ１０ａが点火している可能性があり、かつ異常が発生している状態にあることが、サーバ装置２００から携帯端末装置３００に送信される。ステップＳ５０の後、図４の処理は終了する。
【００５６】
なお、上記したステップＳ３４、Ｓ４４、Ｓ４８において、制御部２１０は、メモリ２１２に格納されている燃焼装置２の状態を更新する際に、燃焼装置２の状態が変化した時刻を、合わせてメモリ２１２に記憶してもよい。この場合、上記したステップＳ３６、Ｓ４６、Ｓ５０において、制御部２１０は、携帯端末装置３００に、燃焼装置２の状態情報を送信する際に、メモリ２１２に記憶されている燃焼装置２の状態と合わせて、その状態に変化した時刻を送信してもよい。
【００５７】
なお、図４の処理において、ステップＳ３２で点火信号を受信した後、消火信号を受信することなく、長時間が経過した場合（例えば、１時間が経過した場合）には、サーバ装置２００から携帯端末装置３００に、燃焼装置２を消し忘れていないか注意喚起するための情報を送信してもよい。
【００５８】
以上のように、本実施例の通信システム１は、燃焼装置２と、燃焼装置２と通信可能なサーバ装置２００を備えている。燃焼装置２は、電源がオンの場合に、所定のタイミングで、燃焼装置２の状態を示す状態信号をサーバ装置２００に送信するように構成されている。状態信号は、少なくとも、燃焼装置２が点火している状態を示す点火信号と、燃焼装置２が消火している状態を示す消火信号を含むグループから選択されている。サーバ装置２００は、点火信号を受信した場合に、燃焼装置２が点火している状態にあると判別し、消火信号を受信した場合に、燃焼装置２が消火している状態にあると判別する。サーバ装置２００は、点火信号を受信した後に、消火信号を受信することなく、燃焼装置２との間で通信が確立していない状態が第１所定期間（例えば７分）継続した場合に、燃焼装置２が異常を生じている状態にあると判別する。このような構成によれば、サーバ装置２００は、点火信号や消火信号を受信することで、燃焼装置２が点火している状態にあることや、消火している状態にあることを判別して、メモリ２１２に格納する。さらにこのような構成によれば、サーバ装置２００が点火信号を受信した後、消火信号を受信するまでの間、すなわち燃焼装置２が点火している状況において、燃焼装置２に何らかの異常が発生して、サーバ装置２００と燃焼装置２の間の通信が確立していない状態が継続すると、サーバ装置２００が、燃焼装置２において異常が発生していることを判別して、メモリ２１２に格納する。本実施例の通信システム１によれば、燃焼装置２における異常の発生を、サーバ装置２００で判別することができる。
【００５９】
本実施例の通信システム１では、燃焼装置２がサーバ装置２００に状態信号を送信する所定のタイミングが、燃焼装置２からサーバ装置２００への状態信号の前回の送信から、第２所定期間（例えば５分）が経過した時点を含んでおり、第２所定期間（例えば５分）が、第１所定期間（例えば７分）よりも短い。このような構成によれば、燃焼装置２に特に異常が発生していなければ、燃焼装置２からサーバ装置２００へ、定期的に状態信号が送信される。このため、このような構成において、サーバ装置２００が点火信号を受信した後に、消火信号を受信することなく、燃焼装置２との間で通信が確立していない状態が第１所定期間継続した場合、燃焼装置２で何らかの異常が発生していることが分かる。本実施例の通信システム１によれば、燃焼装置２とサーバ装置２００の間で通信が確立しているか否かを、簡素な構成により定期的に確認することができる。
【００６０】
本実施例の通信システム１は、サーバ装置２００と通信可能な携帯端末装置３００をさらに備えている。サーバ装置２００は、判別された燃焼装置２の状態を示す状態情報を、携帯端末装置３００に送信可能である。このような構成によれば、サーバ装置２００で判別された燃焼装置２の状態を、携帯端末装置３００を介してユーザに報知することができる。
【００６１】
本実施例の通信システム１において、サーバ装置２００は、燃焼装置２が異常を生じている状態にあると判別された場合に、携帯端末装置３００に、燃焼装置２が異常を生じており、かつ点火している可能性があることを示す状態情報を送信する。サーバ装置２００が、燃焼装置２において異常が発生していると判別するのは、サーバ装置２００が点火信号を受信した後に、消火信号を受信することなく、燃焼装置２との間で通信が確立していない状態が第１所定期間継続した場合である。このため、サーバ装置２００が、燃焼装置２において異常が発生していると判別した時点で、燃焼装置２はいまだ点火している可能性がある。上記の構成によれば、燃焼装置２が異常を生じており、かつ点火している可能性があることを、携帯端末装置３００を介してユーザに報知することで、燃焼装置２の異常に対するユーザによる速やかな対応を促すことができる。
【００６２】
本実施例の通信システム１において、サーバ装置２００が携帯端末装置３００に送信する状態情報は、燃焼装置２の状態が変化した時刻を示す情報を含んでいる。このような構成によれば、サーバ装置２００で判別された燃焼装置２の状態を、その状態に変化した時刻と合わせて、携帯端末装置３００を介してユーザに報知することができる。
【００６３】
本実施例の通信システム１において、燃焼装置２は、商用電源からの電力の供給を受けることなく、電池４０からの電力の供給を受けて動作する。燃焼装置２は、商用電源からの電力の供給を受けることなく、電池４０からの電力の供給を受けて動作するので、電池４０の消耗を抑制するために、燃焼装置２が消火している状態では、燃焼装置２の電源がオフにされる。燃焼装置２の電源がオフにされていると、燃焼装置２とサーバ装置２００の間の通信は確立されない。従って、このような燃焼装置２を備える通信システム１においては、燃焼装置２とサーバ装置２００の間の通信が確立していない状態が継続した場合でも、それが燃焼装置２における異常の発生によるものか、燃焼装置２の電源がオフにされていることによるものか、適確に判別する必要がある。上記の構成では、サーバ装置２００が点火信号を受信した後、消火信号を受信するまでの間、すなわち燃焼装置２の電源がオンになっており、燃焼装置２が点火している状況において、サーバ装置２００と燃焼装置２の間の通信が確立していない状態が継続すると、サーバ装置２００が、燃焼装置２において異常が発生していることを判別する。本実施例の通信システム１によれば、燃焼装置２における異常の発生を、サーバ装置２００において適確に判別することができる。
【００６４】
（実施例２）
本実施例の通信システム１は、実施例１の通信システム１と同様の構成を備えている。本実施例では、燃焼装置２とサーバ装置２００が行う連携処理の内容が、実施例１とは異なる。以下では図５と図６を参照しながら、本実施例で燃焼装置２とサーバ装置２００が行う処理について説明する。
【００６５】
（燃焼装置２が実行する処理）
図５を参照して、燃焼装置２の制御部８０が行う、サーバ装置２００との連携処理について説明する。ユーザによって、加熱量操作部４２ａ，４２ｂ，４２ｃおよび加熱量操作部６０のうち何れか一つに点火操作が行われると、図５のステップＳ５２に示すように、燃焼装置２は電源がオンの状態となる。燃焼装置２の電源がオンとなると、制御部８０は、コンロバーナ１０ａの点火および加熱量調整のための処理（図示せず）を行うとともに、ステップＳ５４以降の処理を実行する。
【００６６】
ステップＳ５４では、制御部８０は、コンロバーナ１０ａが点火したか否かを判断する。コンロバーナ１０ａが点火しない場合（ＮＯの場合）、コンロバーナ１０ａの点火に失敗したと判断して、処理はステップＳ８０へ進む。ステップＳ８０では、制御部８０は、燃焼装置２の電源をオフに切り換えて、図５の処理を終了する。
【００６７】
ステップＳ５４において、コンロバーナ１０ａが点火した場合（ＹＥＳの場合）、処理はステップＳ５６へ進む。ステップＳ５６では、制御部８０は、コンロバーナ１０ａについての点火信号を、中継装置１００およびインターネット１５０を介して、サーバ装置２００へ送信する。
【００６８】
ステップＳ５８では、制御部８０は、サーバ装置２００との間の通信が正常に終了したか否かを判断する。サーバ装置２００との通信が正常に終了した場合（ＹＥＳの場合）、処理はステップＳ６０へ進む。ステップＳ６０では、制御部８０は、サーバ連携ランプ９０を点灯する。ステップＳ６０の後、処理はステップＳ６４へ進む。ステップＳ５８で、サーバ装置２００との通信が正常に終了していない場合（ＮＯの場合）、処理はステップＳ６２へ進む。ステップＳ６２では、制御部８０は、サーバ連携ランプ９０を消灯する。ステップＳ６２の後、処理はステップＳ６４へ進む。
【００６９】
ステップＳ６４では、制御部８０は、サーバ装置２００への前回の送信からの経過時間が所定期間（例えば５分）に達したか否かを判断する。前回の送信からの経過時間が所定期間に達している場合（ＹＥＳの場合）、処理はステップＳ６６へ進む。
【００７０】
ステップＳ６６では、制御部８０は、サーバ装置２００との間で通信が確立していることを確認するための信号（以下では確認信号ともいう）を、中継装置１００およびインターネット１５０を介して、サーバ装置２００へ送信する。
【００７１】
ステップＳ６８では、制御部８０は、サーバ装置２００との間の通信が正常に終了したか否かを判断する。サーバ装置２００との通信が正常に終了した場合（ＹＥＳの場合）、処理はステップＳ７０へ進む。ステップＳ７０では、制御部８０は、サーバ連携ランプ９０を点灯する。ステップＳ７０の後、処理はステップＳ７４へ進む。ステップＳ６８で、サーバ装置２００との通信が正常に終了していない場合（ＮＯの場合）、処理はステップＳ７２へ進む。ステップＳ７２では、制御部８０は、サーバ連携ランプ９０を消灯する。ステップＳ７２の後、処理はステップＳ７４へ進む。
【００７２】
なお、ステップＳ６４で、前回の送信からの経過時間が所定期間に達していない場合（ＮＯの場合）、ステップＳ６６、Ｓ６８、Ｓ７０、Ｓ７２をスキップして、処理はステップＳ７４へ進む。
【００７３】
ステップＳ７４では、制御部８０は、コンロバーナ１０ａが消火されたか否かを判断する。コンロバーナ１０ａが消火されていない場合（ＮＯの場合）、処理はステップＳ６４へ戻る。コンロバーナ１０ａが消火されると（ＹＥＳとなると）、処理はステップＳ７６へ進む。
【００７４】
ステップＳ７６では、制御部８０は、コンロバーナ１０ａについての消火信号を、中継装置１００およびインターネット１５０を介して、サーバ装置２００へ送信する。
【００７５】
ステップＳ７８では、制御部８０は、サーバ連携ランプ９０を消灯する。
【００７６】
ステップＳ８０では、制御部８０は、燃焼装置２の電源をオフに切り換えて、図５の処理を終了する。
【００７７】
（サーバ装置２００が実行する処理）
続いて、図６を参照して、サーバ装置２００の制御部２１０が行う処理について説明する。
【００７８】
ステップＳ８２では、制御部２１０は、燃焼装置２から点火信号を受信するまで待機する。燃焼装置２から点火信号を受信すると（ＹＥＳとなると）、処理はステップＳ８４へ進む。
【００７９】
ステップＳ８４では、制御部２１０は、燃焼装置２から受信した点火信号に基づいて、メモリ２１２に格納されている燃焼装置２の状態を更新する。具体的には、燃焼装置２から受信したコンロバーナ１０ａについての点火信号に基づいて、制御部２１０は、燃焼装置２が、コンロバーナ１０ａが点火している状態であることを、メモリ２１２に記憶する。
【００８０】
ステップＳ８６では、制御部２１０は、携帯端末装置３００に、燃焼装置２の状態情報として、メモリ２１２に記憶されている燃焼装置２の状態を示す情報を送信する。具体的には、燃焼装置２が、コンロバーナ１０ａが点火している状態であることが、サーバ装置２００から携帯端末装置３００に送信される。
【００８１】
ステップＳ８８では、制御部２１０は、燃焼装置２から消火信号を受信したか否かを判断する。消火信号を受信していない場合（ＮＯの場合）、処理はステップＳ９０へ進む。
【００８２】
ステップＳ９０では、制御部２１０は、燃焼装置２から確認信号を受信したか否かを判断する。確認信号を受信した場合（ＹＥＳの場合）、燃焼装置２との通信が確立していると判断されるので、処理はステップＳ８８へ戻る。確認信号を受信しない場合（ステップＳ９０でＮＯの場合）、処理はステップＳ９２へ進む。
【００８３】
ステップＳ９２では、制御部２１０は、燃焼装置２からの点火信号または確認信号の前回の受信からの経過時間が、所定期間（例えば７分）に達したか否かを判断する。前回の受信からの経過時間が所定期間に達していない場合（ＮＯの場合）、処理はステップＳ８８へ戻る。
【００８４】
ステップＳ８８で、消火信号が受信されると（ＹＥＳとなると）、処理はステップＳ９４へ進む。ステップＳ９４では、制御部２１０は、燃焼装置２から受信した消火信号に基づいて、メモリ２１２に格納されている燃焼装置２の状態を更新する。具体的には、燃焼装置２から受信したコンロバーナ１０ａについての消火信号に基づいて、制御部２１０は、燃焼装置２が、コンロバーナ１０ａが消火している状態であることを、メモリ２１２に記憶する。
【００８５】
ステップＳ９６では、制御部２１０は、携帯端末装置３００に、燃焼装置２の状態情報として、メモリ２１２に記憶されている燃焼装置２の状態を送信する。具体的には、燃焼装置２が、コンロバーナ１０ａが消火している状態であることが、サーバ装置２００から携帯端末装置３００に送信される。ステップＳ９６の後、図６の処理は終了する。
【００８６】
ステップＳ９２において、燃焼装置２からの点火信号または確認信号の前回の受信からの経過時間が所定期間に達すると（ＹＥＳとなると）、燃焼装置２に何らかの異常が発生していると判断されるので、処理はステップＳ９８へ進む。
【００８７】
ステップＳ９８では、制御部２１０は、メモリ２１２に格納されている燃焼装置２の状態を更新する。具体的には、燃焼装置２が、コンロバーナ１０ａが点火している可能性があり、かつ異常が発生している状態にあることを、メモリ２１２に記憶する。
【００８８】
ステップＳ１００では、制御部２１０は、携帯端末装置３００に、燃焼装置２の状態情報として、メモリ２１２に記憶されている燃焼装置２の状態を送信する。具体的には、燃焼装置２が、コンロバーナ１０ａが点火している可能性があり、かつ異常が発生している状態にあることが、サーバ装置２００から携帯端末装置３００に送信される。ステップＳ１００の後、図６の処理は終了する。
【００８９】
なお、上記したステップＳ８４、Ｓ９４、Ｓ９８において、制御部２１０は、メモリ２１２に格納されている燃焼装置２の状態を更新する際に、燃焼装置２の状態が変化した時刻を、合わせてメモリ２１２に記憶してもよい。この場合、上記したステップＳ８６、Ｓ９６、Ｓ１００において、制御部２１０は、携帯端末装置３００に、燃焼装置２の状態情報を送信する際に、メモリ２１２に記憶されている燃焼装置２の状態と合わせて、その状態に変化した時刻を送信してもよい。
【００９０】
なお、図６の処理において、ステップＳ８２で点火信号を受信した後、消火信号を受信することなく、長時間が経過した場合（例えば、１時間が経過した場合）には、サーバ装置２００から携帯端末装置３００に、燃焼装置２を消し忘れていないか注意喚起するための情報を送信するように構成してもよい。
【００９１】
図５、図６の処理では、燃焼装置２とサーバ装置２００の間で通信が確立していることを確認するための確認信号が、燃焼装置２からサーバ装置２００に定期的に送信されている。これとは異なり、燃焼装置２とサーバ装置２００の間で通信が確立していることを確認するための確認信号が、サーバ装置２００から燃焼装置２に定期的に送信される構成としてもよい。
【００９２】
実施例１と同様に、本実施例の通信システム１は、燃焼装置２と、燃焼装置２と通信可能なサーバ装置２００を備えている。燃焼装置２は、電源がオンの場合に、所定のタイミングで、燃焼装置２の状態を示す状態信号をサーバ装置２００に送信するように構成されている。状態信号は、少なくとも、燃焼装置２が点火している状態を示す点火信号と、燃焼装置２が消火している状態を示す消火信号を含むグループから選択されている。サーバ装置２００は、点火信号を受信した場合に、燃焼装置２が点火している状態にあると判別し、消火信号を受信した場合に、燃焼装置２が消火している状態にあると判別する。サーバ装置２００は、点火信号を受信した後に、消火信号を受信することなく、燃焼装置２との間で通信が確立していない状態が第１所定期間（例えば７分）継続した場合に、燃焼装置２が異常を生じている状態にあると判別する。
【００９３】
本実施例の通信システム１は、燃焼装置２がサーバ装置２００に状態信号を送信する所定のタイミングが、燃焼装置２の状態が変化した時点を含んでいる。燃焼装置２は、第３所定期間（例えば５分）が経過するごとに、サーバ装置２００との間で、通信が確立していることを確認するための確認信号を通信するように構成されており、第３所定期間（例えば５分）が、第１所定期間（例えば７分）よりも短い。このような構成によれば、燃焼装置２に特に異常が発生していなければ、燃焼装置２とサーバ装置２００の間で、定期的に確認信号が通信される。このため、上記の構成において、サーバ装置２００が点火信号を受信した後に、消火信号を受信することなく、燃焼装置２との間で通信が確立していない状態が第１所定期間継続した場合、燃焼装置２で何らかの異常が発生していることが分かる。本実施例の通信システム１によれば、燃焼装置２とサーバ装置２００の間で通信が確立しているか否かを、簡素な構成により定期的に確認することができる。
【００９４】
実施例１と同様に、本実施例の通信システム１は、サーバ装置２００と通信可能な携帯端末装置３００をさらに備えている。サーバ装置２００は、判別された燃焼装置２の状態を示す状態情報を、携帯端末装置３００に送信可能である。
【００９５】
実施例１と同様に、本実施例の通信システム１において、サーバ装置２００は、燃焼装置２が異常を生じている状態にあると判別された場合に、携帯端末装置３００に、燃焼装置２が異常を生じており、かつ点火している可能性があることを示す状態情報を送信する。
【００９６】
実施例１と同様に、本実施例の通信システム１において、サーバ装置２００が携帯端末装置３００に送信する状態情報は、燃焼装置２の状態が変化した時刻を示す情報を含んでいる。
【００９７】
実施例１と同様に、本実施例の通信システム１において、燃焼装置２は、商用電源からの電力の供給を受けることなく、電池４０からの電力の供給を受けて動作する。
【００９８】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００９９】
上記の実施例では、燃焼装置２として、ガス燃焼式のビルトインコンロを例として説明したが、これに限られるものではない。燃焼装置２は、例えば、ガステーブル、ガスオーブン、ガス炊飯器、ガス給湯器、ガス暖房機等であってもよい。
【０１００】
上記の実施例では、燃焼装置２が、中継装置１００を介して、インターネット１５０に接続する構成について説明したが、燃焼装置２が、中継装置１００を介さずに、インターネット１５０に接続する構成としてもよい。また、中継装置１００は、燃焼装置２とインターネット１５０の接続を中継することが可能な機器であれば、どのような機器であってもよい。
【０１０１】
上記の実施例では、端末装置として、ユーザにより携帯される携帯端末装置３００を例として説明したが、これに限定されるものではない。端末装置は、据え置き型の端末装置であってもよい。
【０１０２】
上記の実施例では、燃焼装置２が、加熱量操作部４２ａ，４２ｂ，４２ｃおよび加熱量操作部６０のうち何れか一つに点火操作が行われると、電池４０からの電力の供給が開始されて、電源がオンとなり、コンロバーナ１０ａ，１０ｂ，１０ｃおよびグリルバーナ２０ａが全て消火されると、電池４０からの電力の供給が遮断されて、電源がオフとなる構成について説明した。これとは異なり、燃焼装置２が、加熱量操作部４２ａ，４２ｂ，４２ｃおよび加熱量操作部６０とは別に、ユーザが操作可能な電源スイッチを備えおり、電源スイッチの切り換え操作によって電源のオンとオフが切り換わる構成としてもよい。このような構成では、図３や図５に示す処理において、コンロバーナ１０ａについての点火信号をサーバ装置２００へ送信した後、燃焼装置２の電源をオフにする操作がユーザによって行われた場合には、制御部８０は、コンロバーナ１０ａの消火のための処理（図示せず）を行い、かつコンロバーナ１０ａについての消火信号をサーバ装置２００へ送信した上で、燃焼装置２の電源をオフに切り換える。このような構成とした場合でも、上記の実施例と同様に、燃焼装置２における異常の発生を、サーバ装置２００で判別することができる。
【０１０３】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０４】
１        ：通信システム
２        ：燃焼装置
４        ：本体
４ａ      ：前面
６        ：天板
８ａ      ：五徳
８ｂ      ：五徳
８ｃ      ：五徳
１０ａ    ：コンロバーナ
１０ｂ    ：コンロバーナ
１０ｃ    ：コンロバーナ
１２ａ    ：温度センサ
１２ｂ    ：温度センサ
１２ｃ    ：温度センサ
１６ａ    ：電磁弁
１８ａ    ：流量調整弁
２０      ：グリル庫
２０ａ    ：グリルバーナ
２２      ：グリル扉
２４      ：コンロ操作部
２６      ：グリル操作部
４０      ：電池
４２ａ    ：加熱量操作部
４２ｂ    ：加熱量操作部
４２ｃ    ：加熱量操作部
４４      ：パネル操作部
４６      ：コンロ表示部
４８ａ    ：コンロ設定操作部
４８ｂ    ：コンロ設定操作部
４８ｃ    ：コンロ設定操作部
６０      ：加熱量操作部
６２      ：パネル操作部
６４      ：グリル表示部
６６      ：グリル設定操作部
７０      ：ＢｌｕｅｔｏｏｔｈＩ／Ｆ
８０      ：制御部
８２      ：メモリ
８４      ：プログラム
９０      ：サーバ連携ランプ
１００    ：中継装置
１０２    ：ＢｌｕｅｔｏｏｔｈＩ／Ｆ
１０４    ：Ｗｉ−ＦｉＩ／Ｆ
１０６    ：制御部
１５０    ：インターネット
２００    ：サーバ装置
２１０    ：制御部
２１２    ：メモリ
３００    ：携帯端末装置
３０２    ：表示部
３０４    ：操作部
３０６    ：Ｗｉ−ＦｉＩ／Ｆ
３１０    ：制御部
３１２    ：メモリ
３１４    ：コンロアプリ
【図１】
2019029808.tif 000003
【図２】
2019029808.tif 000004
【図３】
2019029808.tif 000005
【図４】
2019029808.tif 000006
【図５】
2019029808.tif 000007
【図６】
2019029808.tif 000008